(57)【要約】【課題】ファインダに眼を近づけた際に使用者が表示部の明るさを煩わしく感じることを抑制する。【解決手段】制御部４２が、測距センサ２０により測定された電子ビューファインダ１２と使用者との間の距離が短くなるのにしたがって暗くなるように液晶表示部１９の輝度を制御する。これにより、使用者が電子ビューファインダ１２から目を少し離しただけでも液晶表示部１９がオフ状態からオン状態に切り換わることがないので、電子ビューファインダ１２に眼を近づけた際に使用者が液晶表示部１９の明るさを煩わしく感じることを抑制できる。【選択図】図２
2008252595.tif 000002
【特許請求の範囲】
【請求項１】
接眼型のファインダと、
前記ファインダ近傍に設けられた表示部と、
前記ファインダと操作者との間の距離を測定する測距手段と、
前記測距手段により測定された距離が短くなるのにしたがって暗くなるように前記表示部の輝度を制御する制御手段と
を備えることを特徴とする撮像装置。
【請求項２】
請求項１に記載の撮像装置において、前記制御手段は、前記測距手段により測定された距離が短くなっていく場合と長くなっていく場合とで異なる処理により前記表示部の輝度を制御することを特徴とする撮像装置。
【請求項３】
請求項２に記載の撮像装置において、前記制御手段は、前記距離が第１閾値以上である場合、前記表示部を明るくするように制御パラメータの値を設定し、前記距離が第１閾値より小さい第２閾値以下である場合、前記表示部を暗くするように制御パラメータの値を設定し、設定された制御パラメータの値にしたがって前記表示部の輝度を制御することを特徴とする撮像装置。
【請求項４】
請求項１に記載の撮像装置において、前記制御手段は、前記測距手段により測定された距離が短くなっていく場合と長くなっていく場合とで同一の処理により前記表示部の輝度を制御することを特徴とする撮像装置。
【請求項５】
請求項１に記載の撮像装置において、前記制御手段は、前記距離と前記輝度が比例関係になるように前記距離に応じて前記表示部の輝度を制御することを特徴とする撮像装置。
【請求項６】
請求項１に記載の撮像装置において、前記制御手段は、前記測距手段により測定された距離に応じて前記表示部の輝度を段階的に変化させることを特徴とする撮像装置。
【請求項７】
請求項１乃至請求項６のうち、いずれか１項に記載の撮像装置において、周囲の照度を検出する照度センサを備え、前記制御手段は、前記照度センサにより検出された照度を考慮して前記表示部の輝度を制御することを特徴とする撮像装置。
【請求項８】
請求項１乃至請求項７のうち、いずれか１項に記載の撮像装置において、前記制御手段は、前記測距手段により測定された距離に応じて前記表示部全体の輝度を制御することを特徴とする撮像装置。
【請求項９】
請求項１乃至請求項７のうち、いずれか１項に記載の撮像装置において、前記制御手段は、前記測距手段により測定された距離に応じて前記表示部の輝度を表示部のエリア毎に制御することを特徴とする撮像装置。
【請求項１０】
請求項１乃至請求項９のうち、いずれか１項に記載の撮像装置において、前記測距手段は位相差センサにより構成されていることを特徴とする撮像装置。
【請求項１１】
請求項１乃至請求項９のうち、いずれか１項に記載の撮像装置において、前記測距手段は静電容量型測距センサにより構成されていることを特徴とする撮像装置。
【請求項１２】
請求項１乃至請求項９のうち、いずれか１項に記載の撮像装置において、前記測距手段は、使用者の瞳の大きさを検出するセンサにより構成され、検出された瞳の大きさから前記ファインダと使用者との間の距離を測定することを特徴とする撮像装置。
【請求項１３】
請求項１乃至請求項１２のうち、いずれか１項に記載の撮像装置において、前記ファインダは、前記測距手段により測定された距離に応じてオン／オフされる電子式ファインダであることを特徴とする撮像装置。
【請求項１４】
接眼型のファインダと、ファインダ近傍に設けられた表示部と、ファインダと操作者との間の距離を測定する測距手段とを備える撮像装置に内蔵されたコンピュータが実行する撮像装置のコンピュータプログラムであって、前記測距手段により測定された距離が短くなるのにしたがって暗くなるように前記表示部の輝度を制御する処理をコンピュータに実行させることを特徴とする撮像装置のコンピュータプログラム。
【発明の詳細な説明】
【技術分野】
【０００１】
本発明は、接眼型のファインダ近傍に表示部を備える撮像装置及びそのコンピュータプログラムに関する。
【背景技術】
【０００２】
従来より、接眼型のファインダ近傍に表示部を備える撮像装置において、ファインダ近傍に設置された照度センサが検出した照度が所定値以下である場合、使用者がファインダに接眼している状態にあると判断し、表示部をオン状態からオフ状態に切り換える撮像装置が知られている。このような撮像装置によれば、使用者がファインダに接眼している際、表示部はオフ状態となり暗くなるので、使用者が表示部の明るさを煩わしく感じることを防止できる。
【特許文献１】特開２００７−４１１５０号公報
【発明の開示】
【発明が解決しようとする課題】
【０００３】
しかしながら、従来の撮像装置は、照度センサにより検出された照度が所定値以下であるか否かに応じて表示部のオン／オフを切り換える構成になっているために、使用者がファインダから目を少し離しただけでも表示部がオフ状態からオン状態に切り換わることによって、使用者が表示部の明るさを煩わしく感じることがある。
【０００４】
本発明は、上記課題を解決するためになされたものであり、その目的は、ファインダに眼を近づけた際に使用者が表示部の明るさを煩わしく感じることを抑制可能な撮像装置及びそのコンピュータプログラムを提供することにある。
【課題を解決するための手段】
【０００５】
本発明に係る撮像装置は、接眼型のファインダと、ファインダ近傍に設けられた表示部と、ファインダと操作者との間の距離を測定する測距手段と、測距手段により測定された距離が短くなるのにしたがって暗くなるように表示部の輝度を制御する制御手段とを備える。
【０００６】
本発明に係る撮像装置のコンピュータプログラムは、接眼型のファインダと、ファインダ近傍に設けられた表示部と、ファインダと操作者との間の距離を測定する測距手段とを備える撮像装置に内蔵されたコンピュータが実行する撮像装置のコンピュータプログラムであって、測距手段により測定された距離が短くなるのにしたがって暗くなるように表示部の輝度を制御する処理をコンピュータに実行させる。
【０００７】
本発明に係る撮像装置において、制御手段は、測距手段により測定された距離が短くなっていく場合と長くなっていく場合とで異なる処理により表示部の輝度を制御する。
【０００８】
本発明に係る撮像装置において、制御手段は、距離が第１閾値以上である場合、表示部を明るくするように制御パラメータの値を設定し、距離が第１閾値より小さい第２閾値以下である場合、表示部を暗くするように制御パラメータの値を設定し、設定された制御パラメータの値にしたがって表示部の輝度を制御する。
【０００９】
本発明に係る撮像装置において、制御手段は、測距手段により測定された距離が短くなっていく場合と長くなっていく場合とで同一の処理により表示部の輝度を制御する。
【００１０】
本発明に係る撮像装置において、制御手段は、距離と輝度が比例関係になるように距離に応じて表示部の輝度を制御する。
【００１１】
本発明に係る撮像装置において、制御手段は、測距手段により測定された距離に応じて表示部の輝度を段階的に変化させる。
【００１２】
本発明に係る撮像装置は、周囲の照度を検出する照度センサを備え、制御手段は、照度センサにより検出された照度を考慮して表示部の輝度を制御する。
【００１３】
本発明に係る撮像装置において、制御手段は、測距手段により測定された距離に応じて表示部全体の輝度を制御する。
【００１４】
本発明に係る撮像装置において、制御手段は、測距手段により測定された距離に応じて表示部の輝度を表示部のエリア毎に制御する。
【００１５】
本発明に係る撮像装置において、測距手段は位相差センサにより構成されている。
【００１６】
本発明に係る撮像装置において、測距手段は静電容量型測距センサにより構成されている。
【００１７】
本発明に係る撮像装置において、測距手段は、使用者の瞳の大きさを検出する瞳検出センサにより構成され、制御手段は、瞳検出センサにより検出された瞳の大きさからファインダと使用者との間の距離を算出する。
【００１８】
本発明に係る撮像装置において、ファインダは、測距手段により測定された距離に応じてオン／オフされる電子式ファインダである。
【発明の効果】
【００１９】
本発明に係る撮像装置及びそのコンピュータプログラムによれば、ファインダに眼を近づけた際に使用者が表示部の明るさを煩わしく感じることを抑制できる。
【発明を実施するための最良の形態】
【００２０】
以下、本発明の一実施形態となるデジタルスチルカメラの構成について詳しく説明する。
【００２１】
〔全体構成〕
本発明の一実施形態となるデジタルスチルカメラ１は、図１（ａ）に示すように、略矩形の薄板状本体（以下、本体と略記）２の前面に撮影レンズ３，セルフタイマランプ４，ファインダ窓５，ストロボ発光部６，及びマイクロホン部７を備える。また本体２上面の（使用者にとって）右端側には電源キー８及びシャッタキー９が設けられている。撮影レンズ３は、焦点距離を無段階に変化させるズーム機能及びＡＦ（AutoFocus）機能を有し、電源オフ時及び再生モード時は本体２内部に沈胴する。電源キー８は電源のオン／オフ毎に操作するキーであり、シャッタキー９は撮影モード時に撮影タイミングを指示する。
【００２２】
本体２の背面には、図１（ｂ）に示すように、撮影モード（Ｒ）キー１０，再生モード（Ｐ）キー１１，電子ビューファインダ（Electric View Finder：以下ＥＶＦと表記）１２，スピーカ部１３，マクロキー１４，ストロボキー１５，メニュー（ＭＥＮＵ）キー１６，リングキー１７，セット（ＳＥＴ）キー１８，液晶表示部１９，測距センサ２０，及び照度センサ２１が設けられている。撮影モードキー１０は、電源オフの状態から操作することで自動的に電源オンとして静止画の撮影モードに移行する一方、電源オンの状態から繰返し操作することで静止画と動画の撮影モードを循環的に設定する。
【００２３】
再生モードキー１１は、電源オフの状態から操作することで自動的に電源オンとして再生モードに移行する。ＥＶＦ１２は、液晶画面を使用した接眼型のファインダであり、撮影モード時にはスルー画像を液晶画面に表示する一方、再生モード時には選択された画像等を再生表示する。マクロキー１４は、静止画の撮影モードで通常撮影とマクロ撮影とを切換える際に操作する。ストロボキー１５は、ストロボ発光部６の発光モードを切り換える際に操作する。メニューキー１６は、各種メニュー項目等を選択する際に操作する。リングキー１７は、上下左右各方向への項目選択用のキーが一体に形成されたものであり、このリングキー１７の中央に位置するセットキー１８は、その時点で選択されている項目を設定する際に操作する。
【００２４】
液晶表示部１９は、バックライト付きのカラー液晶パネルで構成されるもので、撮影モード時にはスルー画像のモニタ表示を行う一方、再生モード時には選択した画像等を再生表示する。測距センサ２０は、位相差センサ，静電容量型測距センサ，瞳検出センサ等の公知の測距装置により構成され、ＥＶＦ１２（本体２）と使用者との間の距離Ｄを検出する。なお、測距センサ２０を瞳検出センサにより構成する場合、瞳検出センサは、使用者の瞳の大きさを検出し、検出された瞳の大きさからＥＶＦ１２と使用者との間の距離Ｄを測定する。照度センサ２１は、本体２周囲の照度を検出する。なお図示しないが、デジタルスチルカメラ１の底面には、記録媒体として用いられるメモリカードを着脱するためのメモリカードスロットや、外部のパーソナルコンピュータ等と接続するためのシリアルインタフェースコネクタとしてＵＳＢ（Universal Serial Bus）コネクタ等が設けられている。
【００２５】
〔撮像系及び制御系の構成〕
上記デジタルスチルカメラ１では、撮影モードの際、モータ（Ｍ）３１の駆動により合焦位置や絞り位置が移動される、撮影レンズ３を構成するレンズ光学系３２の撮影光軸後方に配置された撮像素子であるＣＣＤ３３が、タイミング発生器（ＴＧ）３４と垂直ドライバ３５によって走査駆動され、一定周期毎に結像した光像に対応する光電変換出力を１画面分出力する。この光電変換出力は、アナログ形態の信号の状態でＲＧＢの各原色成分毎に適宜ゲイン調整された後にサンプルホールド回路（Ｓ／Ｈ）３６でサンプルホールドされ、Ａ／Ｄ変換器３７でデジタルデータに変換され、カラープロセス回路３８で画素補間処理及びγ補正処理を含むカラープロセス処理が行なわれてデジタル値の輝度信号Ｙ及び色差信号Ｃｂ，Ｃｒが生成され、ＤＭＡ（Direct Memory Access）コントローラ３９に出力される。
【００２６】
ＤＭＡコントローラ３９は、カラープロセス回路３８が出力する輝度信号Ｙ及び色差信号Ｃｂ，Ｃｒを、同じくカラープロセス回路３８からの複合同期信号，メモリ書込みイネーブル信号，及びクロック信号を用いて一度ＤＭＡコントローラ３９内部のバッファに書込み、ＤＲＡＭインタフェース（Ｉ／Ｆ）４０を介してバッファメモリとして使用されるＤＲＡＭ４１にＤＭＡ転送する。制御部４２は、ＣＰＵ，後述する輝度制御処理を含むＣＰＵで実行されるコンピュータプログラムを固定的に記憶したＲＯＭ，及びワークメモリとして使用されるＲＡＭ等により構成され、デジタルスチルカメラ１全体の動作を制御する。
【００２７】
制御部４２は、ＤＲＡＭ４１への輝度及び色差信号のＤＭＡ転送終了後に、この輝度及び色差信号をＤＲＡＭインタフェース４０を介してＤＲＡＭ４１より読出し、ＶＲＡＭコントローラ４３を介してＶＲＡＭ４４に書込む。デジタルビデオエンコーダ４５は、上記輝度及び色差信号をＶＲＡＭコントローラ４３を介してＶＲＡＭ４４より定期的に読出し、これらのデータを元にビデオ信号を発生してＥＶＦ１２と液晶表示部１９に出力する。ＥＶＦ１２と液晶表示部１９は、デジタルビデオエンコーダ４５からのビデオ信号に基づいた表示を行なうことで、その時点でＶＲＡＭコントローラ４３から取込んでいる画像情報に基づく画像をリアルタイムに表示する。
【００２８】
このようにＥＶＦ１２と液晶表示部１９にはその時点での画像がモニタ画像としてリアルタイムに表示される、所謂スルー画像の表示状態で、静止画撮影を行ないたいタイミングでシャッタキー９を操作するとトリガ信号を発生する。制御部４２は、このトリガ信号に応じてその時点でＣＣＤ３３から取込んでいる１画面分の輝度及び色差信号のＤＲＡＭ４１へのＤＭＡ転送を取り止め、改めて適正な露出条件に従った絞り値及びシャッタ速度でＣＣＤ３３を駆動して１画面分の起動及び色差信号を得てＤＲＡＭ４１へ転送し、その後にこの経路を停止し、記録保存の状態に遷移する。
【００２９】
この記録保存の状態では、制御部４２がＤＲＡＭ４１に書込まれている１フレーム分の輝度及び色差信号をＤＲＡＭインタフェース４０を介してＹ，Ｃｂ，Ｃｒの各コンポーネント毎に縦８画素×横８画素の基本ブロックと呼称される単位で読出して画像処理部４７に書込み、この画像処理部４７でＡＤＣＴ（Adaptive Discrete Cosine Transform：適応離散コサイン変換），エントロピ符号化方式であるハフマン符号化等の処理によりデータ圧縮する。そして、得た符号データを１画像のデータファイルとして画像処理部４７から読出し、デジタルスチルカメラ１の記録媒体として着脱自在に装着されるメモリカード４８又はデジタルスチルカメラ１に固定的に内蔵される内蔵メモリ（図示せず）のいずれか一方に書込む。そして、１フレーム分の輝度及び色差信号の圧縮処理及びメモリカード４８又は内蔵メモリへの全圧縮データの書込み終了に伴なって、制御部４２はＣＣＤ３３からＤＲＡＭ４１への経路を再び起動する。
【００３０】
制御部４２には、測距センサ２０，照度センサ２１，キー入力部４９，音声処理部５０、及びストロボ駆動部５１が接続される。測距センサ２０により検出されたＥＶＦ１２と使用者との間の距離Ｄ、及び照度センサ２１により検出された周囲の照度の情報は直接制御部４２へ送出される。キー入力部４９は、上述した電源キー８，シャッタキー９，撮影モードキー１０，再生モードキー１１，マクロキー１４，ストロボキー１５，メニューキー１６，リングキー１７，セットキー１８等から構成され、それらのキー操作に伴なう信号は直接制御部４２へ送出される。
【００３１】
音声処理部５０は、ＰＣＭ音源等の音源回路を備え、音声の録音時にはマイクロホン部７より入力された音声信号をデジタル化し、所定のデータファイル形式、例えばＭＰ３（MPEG-1 audio layer 3）規格にしたがってデータ圧縮して音声データファイルを作成してメモリカード４８又は内蔵メモリへ送出する一方、音声の再生時にはメモリカード４８又は内蔵メモリから送られてきた音声データファイルの圧縮を解いてアナログ化し、スピーカ部（ＳＰ）１３を駆動して、拡声放音させる。ストロボ駆動部５１は、静止画像撮影時に図示しないストロボ用の大容量コンデンサを充電した上で、制御部４２からの制御に基づいてストロボ発光部６を閃光駆動する。
【００３２】
静止画像ではなく動画像の撮影時においては、シャッタキー９が操作され続けている間、上述した静止画データを画像処理部４７でデータ圧縮した静止画データファイルのメモリカード４８又は内蔵メモリへの記録を時間的に連続して実行し、シャッタキー９の操作が終わる又は所定の制限時間、例えば３０秒が経過した時点でそれら一連の静止画データファイルを一括してモーションＪＰＥＧのデータファイル（ＡＶＩファイル）として設定し直す。また基本モードである再生モード時には、制御部４２がメモリカード４８又は内蔵メモリに記録されている画像データを選択的に読出し、画像処理部４７で撮影モード時にデータ圧縮した手順と全く逆の手順で圧縮されている画像データを伸長し、伸長した画像データをＤＲＡＭインタフェース４０を介してＤＲＡＭ４１に保持させた上で、このＤＲＡＭ４１の保持内容をＶＲＡＭコントローラ４３を介してＶＲＡＭ４４に記憶させ、このＶＲＡＭ４４より定期的に画像データを読出してビデオ信号を発生し、ＥＶＦ１２と液晶表示部１９で再生出力させる。選択した画像データが静止画像ではなく動画像であった場合、選択した動画像ファイルを構成する個々の静止画データの再生を時間的に連続して実行し、すべての静止画データの再生を終了した時点で、次に再生の指示がなされるまで先頭に位置する静止画データのみを用いて再生表示する。
【００３３】
〔輝度制御処理〕
このような構成を有するデジタルスチルカメラ１では、制御部４２が以下に示す輝度制御処理を実行することにより、ＥＶＦ１２に眼を近づけている際に使用者が液晶表示部１９の明るさを煩わしく感じることを抑制する。以下、図３に示すフローチャートを参照して、この輝度制御処理を実行する際の制御部４２の動作について説明する。
【００３４】
図３に示すフローチャートは、デジタルスチルカメラ１の動作モードが撮影モードになったタイミングで開始となり、輝度制御処理はステップＳ１の処理に進む。なお本実施形態では、輝度制御処理は、デジタルスチルカメラ１の動作モードが撮影モードになったタイミングで実行されるが、デジタルスチルカメラ１の動作モードが再生モードの際に実行されてもよい。また以下に示す制御部４２の動作は、制御部４２内のＣＰＵがＲＯＭに記憶されているコンピュータプログラムをＲＡＭにロードし、ロードされたコンピュータプログラムを実行することにより実現される。
【００３５】
ステップＳ１の処理では、制御部４２が、ＥＶＦ１２の液晶画面の輝度の状態を表す制御パラメータＨの値をＤＯＷＮ（輝度減少）に設定する。なお本実施形態では、デジタルスチルカメラ１の動作モードが撮影モードになったタイミングでは使用者の眼はまだＥＶＦ１２に接眼していないと想定し、液晶表示部１９を明るくしてＥＶＦ１２の液晶画面を暗くするように制御パラメータＨの値をＤＯＷＮに設定したが、液晶表示部１９を暗くしてＥＶＦ１２の液晶画面を明るくするように制御パラメータＨの値をＵＰ（輝度増加）に設定してもよい。これにより、ステップＳ１の処理は完了し、輝度制御処理はステップＳ２の処理に進む。
【００３６】
ステップＳ２の処理では、制御部４２が、測距センサ２０を介してＥＶＦ１２と使用者との間の距離Ｄを取得する。これにより、ステップＳ２の処理は完了し、輝度制御処理はステップＳ３の処理に進む。
【００３７】
ステップＳ３の処理では、制御部４２が、ステップＳ２の処理により測定された距離Ｄが予め設定された距離Ｄ１（本実施形態では２０ｃｍ）以上であるか否かを判別する。なお、距離Ｄ１の値は、キー入力部４９を介してユーザが設定可能な値としてもよいし、出荷時に設定された固定値であってもよい。そして判別の結果、距離Ｄが距離Ｄ１以上である場合、制御部４２は、ステップＳ４の処理として制御パラメータＨの値をＤＯＷＮに保持した後、輝度制御処理をステップＳ７の処理に進める。一方、距離Ｄが距離Ｄ１以上でない場合には、制御部４２は輝度制御処理をステップＳ５の処理に進める。
【００３８】
ステップＳ５の処理では、制御部４２が、ステップＳ２の処理により測定された距離Ｄが距離Ｄ２（距離Ｄ１以下の値。本実施形態では４ｃｍ）以下であるか否かを判別する。なお、距離Ｄ２の値は、キー入力部４９を介してユーザが設定可能な値としてもよいし、出荷時に設定された固定値であってもよい。そして判別の結果、距離Ｄが距離Ｄ２以下である場合、制御部４２は、ステップＳ６の処理として制御パラメータＨの値をＵＰに変更した後、輝度制御処理をステップＳ７の処理に進める。一方、距離Ｄが距離Ｄ２以下でない場合には、制御部４２は輝度制御処理をステップＳ５の処理からステップＳ７の処理に進める。
【００３９】
ステップＳ７の処理では、制御部４２が、制御パラメータＨの値がＤＯＷＮとＵＰのどちらであるかを判別する。そして判別の結果、制御パラメータＨの値がＵＰである場合、制御部４２は輝度制御処理をステップＳ８の処理に進める。一方、制御パラメータＨの値がＤＯＷＮである場合には、制御部４２は輝度制御処理をステップＳ１０の処理に進める。
【００４０】
ステップＳ８の処理では、制御部４２が、図４に示すような距離Ｄが短くなるのに応じて輝度Ｘが低くなる制御式ＦＵ（Ｄ）にステップＳ２の処理により測定された距離Ｄの値を代入することにより輝度Ｘ（Ｄ）を算出し、算出された輝度Ｘ（Ｄ）になるように液晶表示部１９の輝度を制御する。なお本実施形態では、制御式ＦＵ（Ｄ）は、図４に示すように、距離Ｄが短くなるのに応じて輝度Ｘが低下し、距離Ｄが０〜４ｃｍの範囲内では輝度Ｘがゼロとなる距離Ｄと輝度Ｘの関係式である。従ってこの制御式ＦＵ（Ｄ）にしたがって液晶表示部１９の輝度を決定することにより、距離Ｄが短くなるのにしたがって液晶表示部１９が暗くなるように液晶表示部１９の輝度が制御される。これにより、ステップＳ８の処理は完了し、輝度制御処理はステップＳ９の処理に進む。
【００４１】
ステップＳ９の処理では、制御部４２が、図５に示すような距離Ｄが０〜１６ｃｍの範囲内では所定の輝度値を示す制御式ＧＵ（Ｄ）にステップＳ２の処理により測定された距離Ｄの値を代入することにより輝度Ｙ（Ｄ）を算出し、算出された輝度Ｙ（Ｄ）になるようにＥＶＦ１２の液晶画面の輝度を制御する。この制御式ＦＵ（Ｄ）によれば、ＥＶＦ１２と使用者との間の距離Ｄが０〜１６ｃｍの範囲内ではＥＶＦ１２の液晶画面は常に所定輝度値のオン状態に制御される。これにより、ステップＳ９の処理は完了し、輝度制御処理はステップＳ１２の処理に進む。
【００４２】
ステップＳ１０の処理では、制御部４２が、図４に示すような距離Ｄが増加するのに応じて輝度Ｘが高くなる制御式ＦＤ（Ｄ）にステップＳ２の処理により測定された距離Ｄの値を代入することにより輝度Ｘ（Ｄ）を算出し、算出された輝度Ｘ（Ｄ）になるように液晶表示部１９の輝度を制御する。なお本実施形態では、制御式ＦＤ（Ｄ）は、図４に示すように、距離Ｄが４〜２０ｃｍの範囲内では輝度が増加し、距離Ｄが２０ｃｍ以上の範囲では輝度Ｘが所定値となる距離Ｄと輝度Ｘの関係式である。従ってこの制御式ＦＤ（Ｄ）にしたがって液晶表示部１９の輝度を決定することにより、距離Ｄが長くなるのにしたがって液晶表示部１９が明るくなるように液晶表示部１９の輝度が制御される。これにより、ステップＳ１０の処理は完了し、輝度制御処理はステップＳ１１の処理に進む。
【００４３】
ステップＳ１１の処理では、制御部４２が、図５に示すような距離Ｄが８ｃｍ以上の範囲では輝度値がゼロとなる制御式ＧＵ（Ｄ）にステップＳ２の処理により測定された距離Ｄの値を代入することにより輝度Ｙ（Ｄ）を算出し、算出された輝度Ｙ（Ｄ）になるようにＥＶＦ１２の液晶画面の輝度を制御する。この制御式ＦＵ（Ｄ）によれば、ＥＶＦ１２と使用者との間の距離Ｄが８ｃｍ以上の範囲ではＥＶＦ１２の液晶画面は常に輝度値がゼロとなりオフ状態に制御される。これにより、ステップＳ１１の処理は完了し、輝度制御処理はステップＳ１２の処理に進む。
【００４４】
ステップＳ１２の処理では、制御部１２が、デジタルスチルカメラ１の動作モードが撮影モードのままであるか否かを判別する。そして判別の結果、動作モードが撮影モードのままである場合、制御部１２は輝度制御処理をステップＳ２の処理に戻す。一方、動作モードが撮影モードでなくなった場合には、制御部２は一連の輝度制御処理を終了する。
【００４５】
以上の説明から明らかなように、本発明の一実施形態となるデジタルスチルカメラ１では、制御部４２が、測距センサ２０により測定されたＥＶＦ１２と使用者との間の距離Ｄが短くなるのにしたがって暗くなるように液晶表示部１９の輝度を制御する。そしてこのような構成によれば、使用者がＥＶＦ１２から目を少し離しただけでも液晶表示部１９がオフ状態からオン状態に切り換わることがないので、ＥＶＦ１２に眼を近づけた際に使用者が液晶表示部１９の明るさを煩わしく感じることを抑制できる。
【００４６】
また本発明の一実施形態となるデジタルスチルカメラ１では、制御部４２は、使用者の眼がＥＶＦ１２に近づいていく際とＥＶＦ１２から遠ざかっていく際とで異なる制御式ＦＤ（Ｄ），ＦＵ（Ｄ）を用いて液晶表示部１９の輝度を制御するので、距離Ｄが短くなっていく場合と距離Ｄが長くなっていく場合それぞれの場合において適切な輝度調整を行うことができる。
【００４７】
但し、使用者の眼がＥＶＦ１２に近づいていく際とＥＶＦ１２から遠ざかっていく際とで図６や図７に示すような同じ制御式を用いて液晶表示部１９の輝度を制御しても良い。図６に示す制御式は、距離Ｄが０〜２０ｃｍの範囲内では輝度Ｘが距離Ｄに比例し、距離Ｄが２０ｃｍ以上の範囲では輝度Ｘが所定値となるものである。このような制御式によれば、液晶表示部１９の輝度制御が容易になる。また図７に示す制御式は輝度Ｘが距離に応じて段階的（ステップ状）に変化するものである。このような制御式によれば、異なる視覚効果を使用者に与えることができる。
【００４８】
以上、本発明者によってなされた発明を適用した実施の形態について説明したが、この実施の形態による本発明の開示の一部をなす論述及び図面により本発明は限定されることはない。例えば、上記液晶表示部１９の輝度を制御する際、照度センサ２１により検出された周囲の照度を考慮して液晶表示部１９の輝度を制御してもよい。このような制御によれば、周囲の照度を考慮して液晶表示部１９の輝度を最適な状態に調整することができる。また本実施形態では、液晶表示部１９の輝度を多段階で制御したが、１段階（オン／オフのみ）で制御するようにしてもよい。
【００４９】
また、キー入力部４９を介して使用者が液晶表示部１９の輝度を調整できるようにしてもよい。また実施形態では、距離Ｄに応じて液晶表示部１９全体の輝度を制御したが、距離Ｄが短くなるのに応じて液晶表示部１９の上側から下側に向かって段階的に暗くしていく等、液晶表示部１９の輝度を部分的に制御するようにしてもよい。また本実施形態では、制御部４２は制御式にしたがってＥＶＦ１２や液晶表示部１９の輝度を制御したが、距離Ｄに対応する輝度値が定義されたマップテーブルを参照して制御するようにしてもよい。このように、上記実施の形態に基づいて当業者等によりなされる他の実施の形態、実施例及び運用技術等は全て本発明の範疇に含まれることは勿論であることを付け加えておく。
【産業上の利用可能性】
【００５０】
本発明は、接眼型のファインダ近傍に表示部を備える撮像装置に適用することができる。
【図面の簡単な説明】
【００５１】
【図１】本発明の一実施形態となるデジタルスチルカメラの構成を示し斜視図であり、（ａ）は主に前面の構成、（ｂ）は主に背面の構成を示す斜視図である。
【図２】図１に示すデジタルスチルカメラの制御系の構成を示すブロック図である。
【図３】本発明の実施形態となる輝度制御処理の流れを示すフローチャート図である。
【図４】液晶表示部の輝度制御に用いる距離Ｄと輝度Ｘの関係式の一例を示す図である。
【図５】ＥＶＦの輝度制御に用いる距離Ｄと輝度Ｘの関係式の一例を示す図である。
【図６】液晶表示部の輝度制御に用いる距離Ｄと輝度Ｘの関係式の他の例を示す図である。
【図７】液晶表示部の輝度制御に用いる距離Ｄと輝度Ｘの関係式の他の例を示す図である。
【符号の説明】
【００５２】
１：デジタルスチルカメラ
２：本体
１２：電子ビューファインダ（Electric View Finder：EVF）
１９：液晶表示部
２０：測距センサ
２１：照度センサ
４２：制御部
【図１】
2008252595.tif 000003
【図２】
2008252595.tif 000004
【図３】
2008252595.tif 000005
【図４】
2008252595.tif 000006
【図５】
2008252595.tif 000007
【図６】
2008252595.tif 000008
【図７】
2008252595.tif 000009